【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
水田の上を移動する運搬車と、前記運搬車に搭載され、かつ、比重が１より大きい膜で被覆された複数の種籾を収容している種籾収容容器と、前記運搬車が水田の上を所定距離だけ移動するごとに前記種籾収容容器に収容されている前記複数の種籾を落下させて水田に播く種籾落下ユニットと、を具備し、
水田における複数の種籾直播個所の各々に１粒から８粒までのいずれかの粒数の前記種籾を播き、かつ、一の前記種籾直播個所と当該一の種籾直播個所に対して最も近くに位置する他の前記種籾直播個所とが所定範囲内の離隔間隔だけ離隔されるように前記複数の種籾を水田に播く種籾直播機であって、
水田における前記複数の種籾直播個所の各々に１粒の種籾を播く場合に、縦が３０ｃｍであって横が６０ｃｍである基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが５ｃｍから９ｃｍまでの範囲内の離隔間隔だけ離隔されるように前記複数の種籾を水田に播き、
水田における前記複数の種籾直播個所の各々に２粒の種籾を播く場合に、前記基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが６ｃｍから１２ｃｍまでの範囲内の離隔間隔だけ離隔されるように前記複数の種籾を水田に播き、
水田における前記複数の種籾直播個所の各々に３粒の種籾を播く場合に、前記基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが７ｃｍから１５ｃｍまでの範囲内の離隔間隔だけ離隔されるように前記複数の種籾を水田に播き、
水田における前記複数の種籾直播個所の各々に４粒の種籾を播く場合に、前記基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが８ｃｍから１８ｃｍまでの範囲内の離隔間隔だけ離隔されるように前記複数の種籾を水田に播き、
水田における前記複数の種籾直播個所の各々に５粒の種籾を播く場合に、前記基準面積の水田の区域ごとに２５粒から３５粒までの範囲内の粒数の種籾を水田に播き、一の前記種籾直播個所と当該一の種籾直播個所に対して最も近くに位置する他の前記種籾直播個所とが９ｃｍから２１ｃｍまでの範囲内の離隔間隔だけ離隔されるように複数の種籾を水田に播き、
水田における前記複数の種籾直播個所の各々に６粒の種籾を播く場合に、前記基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが１０ｃｍから２４ｃｍまでの範囲内の離隔間隔だけ離隔されるように複数の種籾を水田に播き、
水田における前記複数の種籾直播個所の各々に７粒の種籾を播く場合に、前記基準面積の水田の区域ごとに２８粒から３５粒までの範囲内の粒数の種籾を水田に播き、一の前記種籾直播個所と当該一の種籾直播個所に対して最も近くに位置する他の前記種籾直播個所とが１１ｃｍから２７ｃｍまでの範囲内の離隔間隔だけ離隔されるように複数の種籾を水田に播き、
水田における前記複数の種籾直播個所の各々に８粒の種籾を播く場合に、前記基準面積の水田の区域ごとに２４粒から３２粒までの範囲内の粒数の種籾を水田に播き、一の前記種籾直播個所と当該一の種籾直播個所に対して最も近くに位置する他の前記種籾直播個所とが１２ｃｍから３０ｃｍまでの範囲内の離隔間隔だけ離隔されるように前記複数の種籾を水田に播く種籾直播機。
【請求項２】
前記種籾収容容器の底板は、前記複数の種籾を収容している前記種籾収容容器の種籾収容空間と連通する複数の種籾移動口を規定している複数の種籾移動内周面を有し、
前記種籾落下ユニットは、前記運搬車の移動距離を測定して移動距離測定値を生成し前記移動距離測定値が前記所定距離の整数倍に達した時に距離到達信号を生成する移動距離測定装置と、前記移動距離測定装置が前記距離到達信号を生成した時に前記種籾収容容器に収容されている前記複数の種籾を落下させて水田に播く種籾落下装置と、前記移動距離測定装置からの前記距離到達信号に基づいて前記種籾落下装置を制御する種籾直播制御装置と、を具備し、
前記種籾落下装置は、前記種籾収容容器に収容されている前記複数の種籾を前記複数の種籾移動口の各々を介して１粒から８粒までのいずれかの粒数の前記種籾を落下させて水田に播くものであり、
前記種籾直播制御装置は、前記距離到達信号を受けるごとに前記種籾落下装置を動作させて前記複数の種籾を落下させて水田に播く請求項１に記載の種籾直播機。
【請求項３】
前記種籾収容容器の底板は、前記複数の種籾を収容している前記種籾収容容器の種籾収容空間と連通する複数の種籾移動口を規定している複数の種籾移動内周面を有し、
前記種籾落下ユニットは、前記運搬車の移動距離を測定して移動距離測定値を生成し前記移動距離測定値が前記所定距離の整数倍に達した時に距離到達信号を生成する移動距離測定装置と、前記移動距離測定装置が前記距離到達信号を生成した時に前記種籾収容容器に収容されている前記複数の種籾を落下させて水田に播く種籾落下装置と、前記移動距離測定装置からの前記距離到達信号に基づいて前記種籾落下装置を制御する種籾直播制御装置と、を具備し、
前記種籾落下装置は、前記種籾収容容器の下に配置されている回転部材と、上端部が前記種籾移動口及び前記種籾収容空間のいずれかに配置され前記回転部材に離隔されて配設されている複数の回転円筒と、前記回転部材及び前記複数の回転円筒を回転させる駆動装置と、を具備し、
前記複数の回転円筒の各々は、前記回転円筒の外に開口している１から８までのいずれかの種籾保持凹部を具備し、前記種籾収容容器に収容されている前記複数の種籾を前記複数の種籾移動口の各々を介して１粒から８粒までのいずれかの粒数の前記種籾を前記種籾保持凹部で受けて保持した後に回転されて前記種籾を落下させて水田に播くものであり、
前記種籾直播制御装置は、前記距離到達信号を受けるごとに前記種籾落下装置を動作させて前記複数の種籾を落下させて水田に播く請求項１及び請求項２のいずれかに記載の種籾直播機。
【請求項４】
水田の上を移動する運搬車と、前記運搬車に搭載され、かつ、比重が１より大きい磁性膜で被覆された複数の種籾を収容している種籾収容容器と、前記運搬車が水田の上を所定距離だけ移動するごとに前記種籾収容容器に収容されている前記複数の種籾を落下させて水田に播く種籾落下ユニットと、を具備し、
前記種籾収容容器の底板は、前記複数の種籾を収容している前記種籾収容容器の種籾収容空間と連通する複数の種籾移動口を規定している複数の種籾移動内周面を有し、
前記種籾落下ユニットは、前記運搬車の移動距離を測定して移動距離測定値を生成し前記移動距離測定値が前記所定距離の整数倍に達した時に距離到達信号を生成する移動距離測定装置と、前記移動距離測定装置が前記距離到達信号を生成した時に前記種籾収容容器に収容されている前記複数の種籾を落下させて水田に播く種籾落下装置と、前記移動距離測定装置からの前記距離到達信号に基づいて前記種籾落下装置を制御する種籾直播制御装置と、を具備し、
前記種籾落下装置は、前記種籾収容容器の下に配置されている回転部材と、上端部が前記種籾移動口及び前記種籾収容空間のいずれかに配置され前記回転部材に離隔されて配設されている複数の回転円筒と、前記複数の回転円筒の各々の円筒内部空間における上部に配置されている磁石と、前記回転部材及び前記複数の回転円筒を回転させる駆動装置と、を具備し、
前記複数の回転円筒の各々は、外へ開口している前記円筒内部空間を規定する円筒内周面と、前記回転円筒の外に開口している１から８までのいずれかの種籾保持凹部と、を具備し、前記種籾収容容器に収容されている前記複数の種籾を前記複数の種籾移動口の各々を介して１粒から８粒までのいずれかの粒数の前記種籾を前記種籾保持凹部で受けて保持した後に回転されて前記種籾を落下させて水田に播くものであり、
前記種籾直播制御装置は、前記距離到達信号を受けるごとに前記種籾落下装置を動作させて前記複数の種籾を落下させて水田に播く請求項１から請求項３までのいずれかに記載の種籾直播機。
【請求項５】
水田の上を移動する運搬車と、前記運搬車に搭載され、かつ、比重が１より大きい磁性膜で被覆された複数の種籾を収容している種籾収容容器と、前記運搬車が水田の上を所定距離だけ移動するごとに前記種籾収容容器に収容されている前記複数の種籾を落下させて水田に播く種籾落下ユニットと、を具備し、
前記種籾収容容器の底板は、前記複数の種籾を収容している前記種籾収容容器の種籾収容空間と連通する複数の種籾移動口を規定している複数の種籾移動内周面と、下方に突出している複数の底部種籾収容容器と、を有し、
前記複数の底部種籾収容容器の各々は、前記複数の種籾移動口の各々と連通し前記種籾を収容する底部種籾収容空間を規定している底部収容内周面と、側板に形成され前記底部種籾収容空間及び外部と連通している種籾出口を規定している種籾出口内周面と、を有し、
前記種籾落下ユニットは、前記運搬車の移動距離を測定して移動距離測定値を生成し前記移動距離測定値が前記所定距離の整数倍に達した時に距離到達信号を生成する移動距離測定装置と、前記移動距離測定装置が前記距離到達信号を生成した時に前記種籾収容容器に収容されている前記複数の種籾を落下させて水田に播く種籾落下装置と、前記移動距離測定装置からの前記距離到達信号に基づいて前記種籾落下装置を制御する種籾直播制御装置と、を具備し、
前記種籾落下装置は、前記種籾収容容器の下に配置されている回転部材と、一側部が前記種籾出口及び前記底部種籾収容空間のいずれかに配置され前記回転部材に離隔されて配設されている複数の回転円筒と、前記複数の回転円筒の各々の円筒内部空間における前記種籾出口の近くに配置されている磁石と、前記回転部材及び前記複数の回転円筒を回転させる駆動装置と、を具備し、
前記複数の回転円筒の各々は、外へ開口している前記円筒内部空間を規定する円筒内周面と、前記回転円筒の外に開口している１から８までのいずれかの種籾保持凹部と、を具備し、前記複数の底部種籾収容容器に収容されている前記複数の種籾を前記複数の種籾出口の各々を介して１粒から８粒までのいずれかの粒数の前記種籾を前記種籾保持凹部で受けて保持した後に回転されて前記種籾を落下させて水田に播くものであり、
前記種籾直播制御装置は、前記距離到達信号を受けるごとに前記種籾落下装置を動作させて前記複数の種籾を落下させて水田に播く請求項１から請求項３までのいずれかに記載の種籾直播機。
【請求項６】
水田の上を移動する運搬車と、前記運搬車に搭載され、かつ、比重が１より大きい膜で被覆された複数の種籾を収容している種籾収容容器と、前記運搬車が水田の上を所定距離だけ移動するごとに前記種籾収容容器に収容されている前記複数の種籾を落下させて水田に播く種籾落下ユニットと、を具備する種籾直播機における種籾落下ユニットであり、
水田における複数の種籾直播個所の各々に１粒から８粒までのいずれかの粒数の前記種籾を播き、かつ、一の前記種籾直播個所と当該一の種籾直播個所に対して最も近くに位置する他の前記種籾直播個所とが所定範囲内の離隔間隔だけ離隔されるように前記複数の種籾を水田に播く種籾落下ユニットであって、
水田における前記複数の種籾直播個所の各々に１粒の種籾を播く場合に、縦が３０ｃｍであって横が６０ｃｍである基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが５ｃｍから９ｃｍまでの範囲内の離隔間隔だけ離隔されるように前記複数の種籾を水田に播き、
水田における前記複数の種籾直播個所の各々に２粒の種籾を播く場合に、前記基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが６ｃｍから１２ｃｍまでの範囲内の離隔間隔だけ離隔されるように前記複数の種籾を水田に播き、
水田における前記複数の種籾直播個所の各々に３粒の種籾を播く場合に、前記基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが７ｃｍから１５ｃｍまでの範囲内の離隔間隔だけ離隔されるように前記複数の種籾を水田に播き、
水田における前記複数の種籾直播個所の各々に４粒の種籾を播く場合に、前記基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが８ｃｍから１８ｃｍまでの範囲内の離隔間隔だけ離隔されるように前記複数の種籾を水田に播き、
水田における前記複数の種籾直播個所の各々に５粒の種籾を播く場合に、前記基準面積の水田の区域ごとに２５粒から３５粒までの範囲内の粒数の種籾を水田に播き、一の前記種籾直播個所と当該一の種籾直播個所に対して最も近くに位置する他の前記種籾直播個所とが９ｃｍから２１ｃｍまでの範囲内の離隔間隔だけ離隔されるように複数の種籾１９０を水田に播き、
水田における前記複数の種籾直播個所の各々に６粒の種籾を播く場合に、前記基準面積の水田の区域ごとに２４粒から３６粒までの範囲内の粒数の種籾を水田に播き、一の前記種籾直播個所と当該一の種籾直播個所に対して最も近くに位置する他の前記種籾直播個所とが１０ｃｍから２４ｃｍまでの範囲内の離隔間隔だけ離隔されるように複数の種籾を水田に播き、
水田における前記複数の種籾直播個所の各々に７粒の種籾を播く場合に、前記基準面積の水田の区域ごとに２８粒から３５粒までの範囲内の粒数の種籾を水田に播き、一の前記種籾直播個所と当該一の種籾直播個所に対して最も近くに位置する他の前記種籾直播個所とが１１ｃｍから２７ｃｍまでの範囲内の離隔間隔だけ離隔されるように複数の種籾を水田に播き、
水田における前記複数の種籾直播個所の各々に８粒の種籾を播く場合に、前記基準面積の水田の区域ごとに２４粒から３２粒までの範囲内の粒数の種籾を水田に播き、一の前記種籾直播個所と当該一の種籾直播個所に対して最も近くに位置する他の前記種籾直播個所とが１２ｃｍから３０ｃｍまでの範囲内の離隔間隔だけ離隔されるように前記複数の種籾を水田に播く種籾落下ユニット。
【請求項７】
水田の上を移動する運搬車と、前記運搬車に搭載され、かつ、比重が１より大きい膜で被覆された複数の種籾を収容している種籾収容容器と、前記運搬車が水田の上を所定距離だけ移動するごとに前記種籾収容容器に収容されている前記複数の種籾を落下させて水田に播く種籾落下ユニットと、を具備し、前記種籾収容容器の底板は、前記複数の種籾を収容している前記種籾収容容器の種籾収容空間と連通する複数の種籾移動口を規定している複数の種籾移動内周面を有する種籾直播機における種籾落下ユニットであって、
前記運搬車の移動距離を測定して移動距離測定値を生成し前記移動距離測定値が前記所定距離の整数倍に達した時に距離到達信号を生成する移動距離測定装置と、前記移動距離測定装置が前記距離到達信号を生成した時に前記種籾収容容器に収容されている前記複数の種籾を落下させて水田に播く種籾落下装置と、前記移動距離測定装置からの前記距離到達信号に基づいて前記種籾落下装置を制御する種籾直播制御装置と、を具備し、
前記種籾落下装置は、前記種籾収容容器に収容されている前記複数の種籾を前記複数の種籾移動口の各々を介して１粒から８粒までのいずれかの粒数の前記種籾を落下させて水田に播くものであり、
前記種籾直播制御装置は、前記距離到達信号を受けるごとに前記種籾落下装置を動作させて前記複数の種籾を落下させて水田に播く請求項６に記載の種籾落下ユニット。
【請求項８】
水田の上を移動する運搬車と、前記運搬車に搭載され、かつ、比重が１より大きい膜で被覆された複数の種籾を収容している種籾収容容器と、前記運搬車が水田の上を所定距離だけ移動するごとに前記種籾収容容器に収容されている前記複数の種籾を落下させて水田に播く種籾落下ユニットと、を具備し、前記種籾収容容器の底板は、前記複数の種籾を収容している前記種籾収容容器の種籾収容空間と連通する複数の種籾移動口を規定している複数の種籾移動内周面を有する種籾直播機における種籾落下ユニットであって、
前記運搬車の移動距離を測定して移動距離測定値を生成し前記移動距離測定値が前記所定距離の整数倍に達した時に距離到達信号を生成する移動距離測定装置と、前記移動距離測定装置が前記距離到達信号を生成した時に前記種籾収容容器に収容されている前記複数の種籾を落下させて水田に播く種籾落下装置と、前記移動距離測定装置からの前記距離到達信号に基づいて前記種籾落下装置を制御する種籾直播制御装置と、を具備し、
前記種籾落下装置は、前記種籾収容容器の下に配置されている回転部材と、上端部が前記種籾移動口及び前記種籾収容空間のいずれかに配置され前記回転部材に離隔されて配設されている複数の回転円筒と、前記回転部材及び前記複数の回転円筒を回転させる駆動装置と、を具備し、
前記複数の回転円筒の各々は、前記回転円筒の外に開口している１から８までのいずれかの種籾保持凹部を具備し、前記種籾収容容器に収容されている前記複数の種籾を前記複数の種籾移動口の各々を介して１粒から８粒までのいずれかの粒数の前記種籾を前記種籾保持凹部で受けて保持した後に回転されて前記種籾を落下させて水田に播くものであり、
前記種籾直播制御装置は、前記距離到達信号を受けるごとに前記種籾落下装置を動作させて前記複数の種籾を落下させて水田に播く請求項６及び請求項７のいずれかに記載の種籾落下ユニット。
【請求項９】
水田の上を移動する運搬車と、前記運搬車に搭載され、かつ、比重が１より大きい磁性膜で被覆された複数の種籾を収容している種籾収容容器と、前記運搬車が水田の上を所定距離だけ移動するごとに前記種籾収容容器に収容されている前記複数の種籾を落下させて水田に播く種籾落下ユニットと、を具備し、前記種籾収容容器の底板は、前記複数の種籾を収容している前記種籾収容容器の種籾収容空間と連通する複数の種籾移動口を規定している複数の種籾移動内周面を有する種籾直播機における種籾落下ユニットであって、
前記運搬車の移動距離を測定して移動距離測定値を生成し前記移動距離測定値が前記所定距離の整数倍に達した時に距離到達信号を生成する移動距離測定装置と、前記移動距離測定装置が前記距離到達信号を生成した時に前記種籾収容容器に収容されている前記複数の種籾を落下させて水田に播く種籾落下装置と、前記移動距離測定装置からの前記距離到達信号に基づいて前記種籾落下装置を制御する種籾直播制御装置と、を具備し、
前記種籾落下装置は、前記種籾収容容器の下に配置されている回転部材と、上端部が前記種籾移動口及び前記種籾収容空間のいずれかに配置され前記回転部材に離隔されて配設されている複数の回転円筒と、前記複数の回転円筒の各々の円筒内部空間における上部に配置されている磁石と、前記回転部材及び前記複数の回転円筒を回転させる駆動装置と、を具備し、
前記複数の回転円筒の各々は、外へ開口している前記円筒内部空間を規定する円筒内周面と、前記回転円筒の外に開口している１から８までのいずれかの種籾保持凹部と、を具備し、前記種籾収容容器に収容されている前記複数の種籾を前記複数の種籾移動口の各々を介して１粒から８粒までのいずれかの粒数の前記種籾を前記種籾保持凹部で受けて保持した後に回転されて前記種籾を落下させて水田に播くものであり、
前記種籾直播制御装置は、前記距離到達信号を受けるごとに前記種籾落下装置を動作させて前記複数の種籾を落下させて水田に播く請求項６から請求項８までのいずれかに記載の種籾落下ユニット。
【請求項１０】
水田の上を移動する運搬車と、前記運搬車に搭載され、かつ、比重が１より大きい磁性膜で被覆された複数の種籾を収容している種籾収容容器と、前記運搬車が水田の上を所定距離だけ移動するごとに前記種籾収容容器に収容されている前記複数の種籾を落下させて水田に播く種籾落下ユニットと、を具備し、前記種籾収容容器の底板は、前記複数の種籾を収容している前記種籾収容容器の種籾収容空間と連通する複数の種籾移動口を規定している複数の種籾移動内周面と、下方に突出している複数の底部種籾収容容器と、を有し、前記複数の底部種籾収容容器の各々は、前記複数の種籾移動口の各々と連通し前記種籾を収容する底部種籾収容空間を規定している底部収容内周面と、側板に形成され前記底部種籾収容空間及び外部と連通している種籾出口を規定している種籾出口内周面と、を有する種籾直播機における種籾落下ユニットであって、
前記運搬車の移動距離を測定して移動距離測定値を生成し前記移動距離測定値が前記所定距離の整数倍に達した時に距離到達信号を生成する移動距離測定装置と、前記移動距離測定装置が前記距離到達信号を生成した時に前記種籾収容容器に収容されている前記複数の種籾を落下させて水田に播く種籾落下装置と、前記移動距離測定装置からの前記距離到達信号に基づいて前記種籾落下装置を制御する種籾直播制御装置と、を具備し、
前記種籾落下装置は、前記種籾収容容器の下に配置されている回転部材と、一側部が前記種籾出口及び前記底部種籾収容空間のいずれかに配置され前記回転部材に離隔されて配設されている複数の回転円筒と、前記複数の回転円筒の各々の円筒内部空間における前記種籾出口の近くに配置されている磁石と、前記回転部材及び前記複数の回転円筒を回転させる駆動装置と、を具備し、
前記複数の回転円筒の各々は、外へ開口している前記円筒内部空間を規定する円筒内周面と、前記回転円筒の外に開口している１から８までのいずれかの種籾保持凹部と、を具備し、前記複数の底部種籾収容容器に収容されている前記複数の種籾を前記複数の種籾出口の各々を介して１粒から８粒までのいずれかの粒数の前記種籾を前記種籾保持凹部で受けて保持した後に回転されて前記種籾を落下させて水田に播くものであり、
前記種籾直播制御装置は、前記距離到達信号を受けるごとに前記種籾落下装置を動作させて前記複数の種籾を落下させて水田に播く請求項６から請求項８までのいずれかに記載の種籾落下ユニット。